(57)【特許請求の範囲】
【請求項１】
下地へ取り付けられる保持部材に、面板部と少なくとも側縁に成形部を設けた立ち上げ部とを有する縦葺き外装材を保持させると共に、外装材の側縁の対向部分から延出するようにボルトを上向きに立設し、流れ方向に隣接する外装材同士の端部を重合させて接続し、該外装材の敷設状態において形成される少なくとも２つの山部に跨って配設される横架材を保持部材に立設したボルトに締着することにより、横架材の垂下状に形成される垂下部の下端に設けられる押圧部で外装材の面板部における雨水の排水経路を堰き止めることなく重合させた端部を上方から押圧状に保持するようにしたことを特徴とする外装構造。
【請求項２】
少なくとも外装材の重合させた端部における外装材裏面に、支持部材を配設し、外装材の重合部分を横架材と支持部材で挟み込むように保持することを特徴とする請求項１に記載の外装構造。
【請求項３】
横架材の押圧部に、弾性体を配したことを特徴とする請求項１又は２に記載の外装構造。
【発明の詳細な説明】
【技術分野】
【０００１】
本発明は、外装材の流れ方向の重合部を上方から押さえ込むことで、外装材端部の浮き上がりを防ぎ、意匠性、雨仕舞性に優れた外装材の接続を得ることができる外装構造に関する。
【背景技術】
【０００２】
山部、谷部が交互に連続する「折板」は、その多くが施工現場に成形機を持ち込んで成形する現場成形を行い、成形された折板を敷設する方法が採られている。
しかし、このような現場成形では、建築物のそばに成形機を設置する広い面積（成形ステージ等）が必要であり、また成形機や重機等の搬入路も必要であり、建築物の周囲の建築環境に大きな制限を受けることが多い。
【０００３】
一方、特許文献１のように一定長さの外装材を工場で成形し、現場にて接続する方法も提案されている。
この定尺な外装材は、流れ方向の両端に重合部、被重合部を形成して重合接続するものであるが、重合部、被重合部の形状が複雑であるため、製造コストの上昇は避けられないという問題があった。
また、特許文献２のような外装材の端部に特別な加工を施さずに重合するものも提案されている、
この提案における接続構造は、重合部をビス止めしたものであるため、ビス止め部分からの雨水の浸入が起こり、雨仕舞の問題が生じていた。
【特許文献１】特公平６−２７４２２号公報
【特許文献２】特許第３１９６５６０号公報
【発明の開示】
【発明が解決しようとする課題】
【０００４】
そこで、本発明は、前述の従来方法（構造）における問題を生ずることがなく、即ち重合部、被重合部が簡易形状であり、雨仕舞性にも優れている外装構造を提供することを目的とする。
【課題を解決するための手段】
【０００５】
本発明は、上記に鑑み提案されたもので、下地へ取り付けられる保持部材に、面板部と少なくとも側縁に成形部を設けた立ち上げ部とを有する縦葺き外装材を保持させると共に、外装材の側縁の対向部分から延出するようにボルトを上向きに立設し、流れ方向に隣接する外装材同士の端部を重合させて接続し、該外装材の敷設状態において形成される少なくとも２つの山部に跨って配設される横架材を保持部材に立設したボルトに締着することにより、横架材の垂下状に形成される垂下部の下端に設けられる押圧部が外装材の面板部における雨水の排水経路を堰き止めることなく重合部分を上方から押圧するようにしたことを特徴とする外装構造に関するものである。
【０００６】
また、本発明は、上記外装構造において、少なくとも外装材の重合部分における外装材裏面に、支持部材を配設し、外装材の重合部分を横架材と支持部材で挟み込むように保持する外装構造をも提案する。
【０００８】
また、本発明は、上記外装構造において、横架材の押圧部に、弾性体を配した外装構造をも提案する。
【発明の効果】
【０００９】
本発明の外装構造は、流れ方向に隣接する縦葺き外装材の重合部分を、横架材の押圧部で上方から押圧状に保持することにより、重合部分における外装材端部の浮き上がりを防ぎ、意匠性、雨仕舞に優れた外装材の接続を得ることができる。
さらに、横架材の押圧部を、垂下状に形成される垂下部の下端に設けるので、雪止めとしての機能も有する。
【００１０】
また、少なくとも外装材の重合部分における外装材裏面に、支持部材を配設し、外装材の重合部分を横架材と支持部材で挟み込むように保持することにより、より安定且つ確実な接続を得ることができる。さらに、支持部材によって、外装材の押圧力による変形を防止することができる。
【００１２】
また、横架材の押圧部に、弾性体を配することにより、外装材との密着性を高めることができる。
【発明を実施するための最良の形態】
【００１３】
本発明の外装構造に適用される縦葺き外装材は、「面板部と少なくとも側縁に成形部を設けた立ち上げ部とを有」する構成であるため、この外装材の敷設状態において、少なくとも一つの山部が形成される構成であり、面板部が谷部となる構成である。そして、左右対称、非対称を問うものではなく、例えば後述する図示実施例では外装面（屋根面）を左右対称の外装材とキャップで構成しているが、外装材はキャップ一体のものを用いてもよい。また、図示実施例では嵌合式の外装材、保持部材（タイトフレーム）を用いたが、その敷設方法（取付態様）は嵌合に限定されるものではなく、横架材を締着可能な態様であれば、重ね式、ハゼ締め等のその他の公知の敷設方法であってもよい。
【００１４】
また、外装材は、「流れ方向に隣接する外装材同士の端部を重合させて接続」するものであり、流れ方向の上流に位置して隣接する外装材の端部を上側に重ねる重合部とし、下流に位置する外装材の端部を下側に重ねられる被重合部とする。
【００１５】
横架材は、前記「外装材の敷設状態において形成される少なくとも２つの山部を跨って配設される」ものであって、「横架材に設けた押圧部が外装材の重合部分を上方から押圧する」構成であれば、その詳細な構成並びに形状は問わない。例えば後述する図示実施例では、少なくとも２つの山部を跨ぐ長さを有する架設部と、該架設部から垂下状に形成される垂下部と、該垂下部の下端に設けられている押圧部とを備える形状としたが、これに限定するものではない。例えば横架材を構成する各部は、単一部材からなるものでもよいし、溶接やボルト締着等の公知の手段で複数部材を一体化したものでもよい。特に成型の容易性や成型コストから、フラットバーやフラットバーを折曲加工したものや形鋼等の組合せて用いてもよい。
【００１６】
さらに、「横架材を保持部材に締着する」構成は、図示実施例ではボルト（特殊）を保持部材に上向きに溶接固定し、該ボルトに対して横架材を締着しているが、外装材、保持部材の形状によっては、横架材を介して上方からビス、ボルト等を締着するものであってもよい。また、ボルトを立設する場合であってもその固定方法は溶接に限定するものではなく、保持部材に嵌合する（特開平５−１２５７９８号公報図６参照）ものでも、その他の固定方法であってもよく、外装材側縁が対向するタイプでは外装材の側縁の対向部分から延出可能な形状であればよい。
【００１７】
この横架材は、外装材の重合部分（重合部及び被重合部）を上方から押圧して保持（浮き上がり防止）するものであるが、さらに雪止め材としても機能させることができる。
押圧部は、外装材の面板部である谷部を押圧するものでも、立ち上げ部（傾斜部）を押圧するものでも、谷部と立ち上げ部の両方を押圧するものでもよい。
また、雪止め材としての機能は、その形状にもよるが、垂下部がそのまま雪止めの機能を有する場合と、垂下部に別途部材を設けても良い。
【００１８】
前記押圧部は、前述のように架設部から垂下状に設けられていればよく、その態様は面板部における雨水の排水経路を堰き止めない形状であれば、棒状、プレート状（板状）、面状等の如何なるものでもよい。
また、押圧部は、その下方（下端）を押圧面とすることが望ましく、その態様は垂下部の下方部分を折曲したものでも、別部材を固着したものであってもよい。押圧面は、外装材の流れ方向に長さを有するものでもよい。押圧面を大きくすることにより、重合部分を安定して押圧できる効果、積雪時の変形防止、倒れ防止等の効果が見込まれる。
さらに、横架材の押圧部に、弾性体を配してもよいが、その場合、弾性体は、押圧部と外装材との密着性を高める作用を果たす。
【００１９】
また、本発明の外装構造は、外装材の重合部分を、横架材の押圧部で上方から押圧状に保持するものであるが、単に上方から押圧するばかりでなく、後述する支持部材とで上下から外装材を挟み込むように（挟着状に）保持するものであってもよい。
【００２０】
支持部材は、少なくとも外装材の重合部分における外装材裏面に配設されるものであって、保持部材が支持部材を兼用してもよいし、保持部材とは異なる別部材として支持部材を配してもよい。この支持部材は、上方からの押圧力を受け止めて外装材の変形を防ぐ役割が求められるため、具体的には外装材を裏面側からバックアップするような作用が求められる。ここで、この種の山部及び谷部が交互に連続する折板である外装材では、谷部や立ち上げ部が、後述する図示実施例に見られるように下地上に接地されずに浮き状に配設されるため、この外装材の谷部や立ち上げ部を裏面からバックアップするには、以下の態様がある。
【００２１】
より具体的には、後述する図２に示す実施例のように、前記外装材よりも硬質の材料からなる支持部材の断面形状を山状部と谷状部とが連続するように成形し、保持部材に山状部を固定することにより、谷状部が外装材の重合部分における谷部をバックアップさせる態様がある。前記外装材よりも硬質の材料としては、例えば外装材が金属板材である場合には、それより厚肉の金属板材等を用いればよい。
尚、図示実施例では、支持部材を、保持部材にビスやボルト等の固定具を介して固定したが、嵌合や係合等の手段で、或いは溶接等にて固定してもよいし、その一部（一端）のみを固定するものでも、単にズレ動かない程度に支持（載置）するものであってもよい。また、支持部材は、複数の保持部材を跨ぐものでも、保持部材間に１部材であっても、１つの保持部材を跨ぐものであってもよい。
【００２２】
また、後述する図３（ａ）に示す実施例のように、外装材の接続部分における谷部や立ち上げ部の裏面に相当する位置に、弾性機能を有する支持部材を配してもよい。弾性機能を有する材料としては、例えば樹脂発泡体（樹脂フォーム）等を用いればよい。
【００２３】
このように本発明の外装構造は、流れ方向に隣接する外装材の重合部分を、横架材の押圧部で上方から押圧状に保持して接続するという構成（接続構造）に特徴を有するものであって、接続部分である重合部分における外装材端部の浮き上がりが防がれ、意匠性、雨仕舞に優れた接続構造が得られる。
【実施例】
【００２４】
図１に示す外装構造に用いた縦葺き外装材（以下、単に外装材という）１は、略平坦状の面板部１１の左右の側縁に左右対称の傾斜状の立ち上げ部１２，１２を有する構成であり、この立ち上げ部１２には、後述する保持部材２に嵌合状に取り付けるための成形部１３が設けられている。具体的には成形部１３には、面板部１１側の高さの途中のみに、保持部材２の被嵌合部２１に保持される略く字状の凸状嵌合部１３１を備え、該凸状嵌合部１３１の上方に、保持部材２の受支材２Ｂに被嵌状に保持される凹状嵌合部１３２を備え、さらに該凹状嵌合部１３２の先端には、保持部材２の受支材２Ｂの略中央上端に形成された溝部２２に上方から嵌合させる断面略Ｕ字状の係合部１３３を有する構成である。
【００２５】
この外装材１は、代表的には概ね０.４〜１.６mm程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。そして、上記各種の長尺なコイル状の金属材料を定尺切断する等して、一定幅で所定長さの金属板材を作成し、これを成形材料としたものであり、左右の側縁にはロール成形等により前述の形状となるように成形を施すが、流れ方向の端部となる端縁には、前述の特許文献２に記載の発明と同様に、特別な加工を施さずに重合してもよい。但し、特許文献２では、重合部分をビス止めしたが、本発明では雨水の浸入を起こすビス止めは決して行わない。
【００２６】
前記外装材１を取り付けるための保持部材２は、略左右対称の部材であって、下地４に固定する略門型のタイトフレーム２Ａと、該タイトフレーム２Ａの略中央の横片に下方からボルトナットにて留め付けた受支材２Ｂとからなる。
タイトフレーム２Ａは、例えば短幅の帯状鋼材を折り曲げ成形してなり、略中央の横片から左右に脚部２３，２３を有し、各脚部２３の下端に下面が下地４と接する固定部２４が設けられている。
受支材２Ｂは、略垂直状に起立する受支面を前後に有する側断面略Ｕ字状のピース材であり、各受支面の下方には左右に張り出した部分が形成され、その下方が前記外装材１の凸状嵌合部１３１が嵌合する被嵌合部２１である。また、受支面の上縁を前後方向に折り曲げ、前記外装材１の凹状嵌合部１３２の被嵌状の保持を安定に行えるようにしている。さらに、この受支面の略中央上端には、前記外装材１の断面略Ｕ字状の係合部１３３を上方から嵌合可能な矩形状の溝部２２が設けられている。
【００２７】
前記外装材１と共に外装面を形成するキャップ３は、左右方向に隣接する外装材１，１の成形部１３，１３間に配設されるものであって、前記外装材１と同様な素材から成形されるものであり、略傘状の化粧部３１の左右の側縁に設けた折返し部３２を前記外装材１の凸状嵌合部１３１の裏面に嵌合させて取り付けられる。
【００２８】
これらの部材により形成される外装構造では、面板部１１が谷部ｂとなり、左右の外装材１，１の接続部分にて１つの山部ａが形成される構成である。
また、流れ方向の接続に関し、上流に位置して隣接する外装材１の端部を上側に重ねる重合部１４とし、下流に位置して隣接する外装材１の端部を下側に重ねられる被重合部１５とする。
【００２９】
本発明の特徴は、前述のような構成の外装材１の敷設状態において形成される少なくとも２つの山部ａに跨って配設される横架材５を保持部材２に締着することにより、横架材５に設けた押圧部５３が外装材１の重合部分（１４，１５）を上方から押圧するようにした点にある。
【００３０】
図１に示す外装構造に用いた横架材５は、少なくとも２つの山部ａを跨ぐ長さを有する架設部５１と、該架設部５１から垂下状に形成される垂下部５２と、該垂下部５２の下端に設けられたる押圧部５３とを備える形状である。
【００３１】
図１（ａ），（ｂ）では架設部５１も垂下部５２もＬ型鋼材を用いたが、図１（ｃ），（ｄ）では架設部５１としてＬ型鋼材を、垂下部５２として下端を折曲したフラットバーを用いた。そして、何れも垂下部５２の下端に弾性体５４を配した略平坦状の押圧部５３を設けた。
【００３２】
この横架材５は、保持部材２に上向きに溶接固定した特殊ボルト７１に対してＬ型鋼材である架設部５１を上方から締着することによって固定した。尚、図示実施例では、左右に隣接する外装材１，１の対向部分に連結用縦金具７２が配設されるように保持部材２に固定し、さらにキャップ３上に被着状に沿わせた連結用横金具７３に特殊ボルト７１を一体化させたものを用いたが、対向間隔が広ければ連結用金具７２，７３を用いることなくボルト７１のみを立設すればよい。また、外装材１，１の側縁同士が重合する態様（外装構造）であっても、当該箇所に予めボルト挿入用の長孔を設けてもよいし、横架材５上からビス等の固定具を保持部材２に向かって締着してもよい（但し、この場合、保持部材２の形状に制限を受ける）。
【００３３】
このように形成される本発明の外装構造は、流れ方向に隣接する外装材１，１の重合部分１４，１５を、横架材５の上方からの締着により、押圧部５３で上方から押圧状に保持するので、重合部分１４，１５における外装材１端部の浮き上がりを防ぎ、意匠性、雨仕舞に優れた外装材１，１の接続を得ることができた。
【００３４】
また、図示実施例では、横架材５の押圧部５３に、弾性体５４を配したので、外装材１との密着性が高められた。
さらに、図示実施例では、横架材５の押圧部５３を、垂下状に形成される垂下部５２の下端に設けたので、垂下部５２等が雪止めとしても機能する。
また、図示実施例では、横架材５の押圧部５３に、弾性体５４を配したので、外装材１との密着性を高めることができた。
【００３５】
図２に示す外装構造では、外装材１，１の重合部分１４，１５における裏面側に、支持部材６を配設し、外装材１，１の重合部分１４，１５を横架材５の押圧部５３と支持部材６で挟み込むように保持した構造であり、それ以外の構成は前記図１の実施例と同様であるから、図面に同一符号を付して説明を省略する。
尚、図２（ａ），（ｂ）と図２（ｃ），（ｄ）との違いは、前記図１（ａ），（ｂ）と図１（ｃ），（ｄ）との違いと全く同様である。
【００３６】
図２の外装構造に用いた支持部材６は、左右方向に隣接するタイトフレーム２Ａ，２Ａに跨って配設され、山状部６１と谷状部６２とが連続する断面連続角波状の部材である。そして、この支持部材６の山状部６１を保持部材２のタイトフレーム２Ａに固定することにより、谷状部６２が外装材１，１の重合部分１４，１５における谷部をバックアップするものとなる。この支持部材６は、前記タイトフレーム２Ａと同様に、例えば短幅の帯状鋼材を折り曲げ成形してなる。
【００３７】
このように、外装材１，１の重合部分１４，１５における裏面側に、支持部材６を配設し、外装材１，１の重合部分１４，１５を横架材５の押圧部５３と支持部材６の谷状部６２で挟み込むように保持することにより、より安定且つ確実な接続を得ることができる。さらに、支持部材６によって、外装材１の押圧力による変形を防止することができる。
【００３８】
図３に示す外装構造では、前記図１や図２の実施例では押圧部５３が略平坦状であり、流れ方向に隣接する外装材１，１の重合部分１４，１５における面板部１１を上方から押圧していたのに対し、この実施例における押圧部５３’は、傾斜面と平坦面とからなる形状であり、外装材１，１の重合部分１４，１５における面板部１１及び立ち上げ部１２を上方から押圧する構成とした。また、図３（ａ），（ｂ）の実施例では、弾性機能を有する支持部材６’を配し、図３（ｃ），（ｄ）の実施例では、前記図２の実施例と同様の支持部材６を用いた。それ以外の構成は前記図１の実施例と同様であるから、図面に同一符号を付して説明を省略する。
【００３９】
図３（ａ），（ｂ）の実施例に用いた支持部材６’は、不定形の弾性樹脂材（樹脂フォーム）であり、図３（ｃ），（ｄ）の実施例における支持部材６と同様に外装材１を裏面側からバックアップする作用を果たし、外装材１の重合部分１４，１５を横架材５の押圧部５３とこれら支持部材６，６’で挟み込むように保持するため、より安定且つ確実な接続構造となる。
【図面の簡単な説明】
【００４０】
【図１】（ａ）本発明の外装構造の一実施例を示す正面図、（ｂ）その流れ方向に隣接する外装材の接続部分を示す側断面図、（ｃ）横架材の態様を変更した実施例を示す正面図、（ｄ）その流れ方向に隣接する外装材の接続部分を示す側断面図である。
【図２】（ａ）本発明の外装構造の他の一実施例を示す正面図、（ｂ）その流れ方向に隣接する外装材の接続部分を示す側断面図、（ｃ）横架材の態様を変更した実施例を示す正面図、（ｄ）その流れ方向に隣接する外装材の接続部分を示す側断面図である。
【図３】（ａ）本発明の外装構造の他の一実施例を示す正面図、（ｂ）その流れ方向に隣接する外装材の接続部分を示す側断面図、（ｃ）本発明の外装構造の他の一実施例を示す正面図、（ｄ）その流れ方向に隣接する外装材の接続部分を示す側断面図である。
【符号の説明】
【００４１】
１  （縦葺き）外装材
１１  面板部
１２  立ち上げ部
１３  成形部
１４  重合部
１５  被重合部
２  保持部材
３  キャップ
４  下地
５  横架材
５１  架設部
５２  垂下部
５３  押圧部
６，６’  支持部材
【図１】
0004712571.tif 000002
【図２】
0004712571.tif 000003
【図３】
0004712571.tif 000004